(57)【要約】【課題】  狭い場所でもボルトを用いることなく簡便にヘッダーを取り付けることができるヘッダー支持具、及びそれを用いたヘッダー固定治具を提供する。また、型鋼にヘッダーを取り付ける場合、型鋼に穿孔する必要が無く、位置決めが容易で、簡便に取り付け可能な型鋼用ヘッダー固定治具を提供する。【解決手段】  ヒンジ６を介して連結されたバンド１，２の端部に脱着可能な結合部を有するヘッダー支持具であって、結合部は、一方のバンド１端部において、幅方向両側に両側切欠き部７，７、及び両側切欠き部７，７に繋がる張出部１１を有すると共に、他方のバンド２端部に、幅方向中央部に凹型切欠き部８、及び端部外側に突出する係止部９を有し、バンドの弾性変形により上記張出部１１が係止部９を乗り越えて係止され、上記両側切欠き部７，７と凹型切欠き部８とが嵌合されることを特徴とするヘッダー支持具を用いる。【選択図】  図１
2005214337.tif 000002
【特許請求の範囲】
【請求項１】
ヒンジを介して連結されたバンドの端部に脱着可能な結合部を有するヘッダー支持具であって、結合部は、一方のバンド端部に、幅方向両側に両側切欠き部と両側切欠き部に繋がる張出部とを有すると共に、他方のバンド端部に、幅方向中央部に凹型切欠き部と端部外側に突出する係止部とを有し、バンドの弾性変形により上記張出部が係止部を乗り越えて係止され、上記両側切欠き部と凹型切欠き部とが嵌合されることを特徴とするヘッダー支持具。
【請求項２】
係止部の形状が側面円弧状であり、両側切欠き部の外側に円弧状のカバーが設けられたことを特徴とする請求項１記載のヘッダー支持具。
【請求項３】
請求項１又は２記載のヘッダー支持具に固定具が取り付けられ、固定具の取付部が回転可能であることを特徴とするヘッダー固定治具。
【請求項４】
型鋼の張り出し部に係止可能な折り曲げ部を有するベースに、スライド部が移動可能に取り付けられ、スライド部は、前記折り曲げ部と対向して型鋼の張り出し部を挟着可能な固定部を有し、ベース又はスライド部に請求項１又は２記載のヘッダー支持具が取り付けられたことを特徴とする型鋼用ヘッダー固定治具。
【発明の詳細な説明】
【技術分野】
【０００１】
この発明は、ヘッダー支持具、ヘッダー固定治具及び型鋼用ヘッダー固定治具に関する。
【背景技術】
【０００２】
従来、給水給湯配管におけるヘッダー固定治具としては、Ｕバンドが多用されていた。しかし、Ｕバンドはボルトを締め付けて固定する方法であるため、取り付けに工数がかかるとともに、ヘッダーを取り付ける場所が狭い場合には、スパナなどのボルト締め付け工具が使えない場合があり、作業が困難な場合があった。このため、狭い場所でもヘッダーを簡便に取り付けることができる固定治具が要望されていた。
【０００３】
また、ヘッダーをＨ鋼などの型鋼に取り付ける場合には、Ｕバンドを固定するためのボルト孔を型鋼の張り出し部に穿孔する必要があり、作業に手間がかかる問題、ヘッダーの位置決めがし難い問題などがあった。また、通常、建物の構造体である型鋼への取り付けは天井付近になるため、作業がし難く多大な工数を要するものであった。このため、手間が掛からず簡便に型鋼に取り付け可能な固定治具が要望されていた。
【発明の開示】
【発明が解決しようとする課題】
【０００４】
本発明は、上記従来の問題点に鑑み、狭い場所でもボルトを用いることなく簡便にヘッダーを取り付けることができるヘッダー支持具、及びそれを用いたヘッダー固定治具を提供することにある。また、型鋼にヘッダーを取り付ける場合、型鋼に穿孔する必要が無く、位置決めが容易で、簡便に取り付け可能な型鋼用ヘッダー固定治具を提供することにある。
【課題を解決するための手段】
【０００５】
請求項１記載のヘッダー支持具は、ヒンジを介して連結されたバンドの端部に脱着可能な結合部を有するヘッダー支持具であって、結合部は、一方のバンド端部に、幅方向両側に両側切欠き部と両側切欠き部に繋がる張出部とを有すると共に、他方のバンド端部に、幅方向中央部に凹型切欠き部と端部外側に突出する係止部とを有し、バンドの弾性変形により上記張出部が係止部を乗り越えて係止され、上記両側切欠き部と凹型切欠き部とが嵌合されることを特徴とする。
【０００６】
請求項２記載のヘッダー支持具は、請求項１記載のヘッダー支持具であって、係止部の形状が側面円弧状であり、両側切欠き部の外側に円弧状のカバーが設けられたことを特徴とする。
【０００７】
請求項３記載のヘッダー固定治具は、請求項１又は２記載のヘッダー支持具に固定具が取り付けられ、固定具の取付部が回転可能であることを特徴とする。
【０００８】
請求項４記載の型鋼用ヘッダー固定治具は、型鋼の張り出し部に係止可能な折り曲げ部を有するベースに、スライド部が移動可能に取り付けられ、スライド部は、前記折り曲げ部と対向して型鋼の張り出し部を挟着可能な固定部を有し、ベース又はスライド部に請求項１又は２記載のヘッダー支持具が取り付けられたことを特徴とする。
【発明の効果】
【０００９】
本発明のヘッダー支持具によれば、ヒンジを介して連結されたバンドの端部がワンタッチで嵌合され、係止可能なので、狭い場所でもボルトを用いることなく簡便にヘッダーを取り付けることができる。
【００１０】
また、係止部の形状が側面円弧状であり、両側切欠き部の外側に円弧状のカバーが設けられた場合には、張出部が係止部を乗り越え易くなり、上記効果は更に確実となるとともに、カバーにより結合部が保護される。
【００１１】
本発明のヘッダー固定治具によれば、上記ヘッダー支持具に固定具が取り付けられ、固定具の取付部が回転可能であるので、建物の壁や床などに容易に取り付け可能で、また、ヘッダーの角度などの調整が容易なものとなり、上記効果は更に確実なものとなる。
【００１２】
本発明の型鋼用ヘッダー固定治具によれば、型鋼の張り出し部をベースとスライド部とで挟着可能なので、上記効果を有する支持具を型鋼に簡便に取り付けることができ、位置決めが容易で、型鋼に穿孔する必要が無く、優れた施工性を有する型鋼用ヘッダー固定治具を提供することができる。
【発明を実施するための最良の形態】
【００１３】
以下、本発明実施するための最良の形態について、図面を参照しつつ説明する。
【００１４】
本発明のヘッダー視治具は、図１（ａ）に示すように、ヒンジ６を介して連結され上下に分割されたバンド１，２の端部に、脱着可能な結合部を有するヘッダー支持具５０であって、結合部は、図１（ｂ），（ｂ１），（ｂ２）に示すように、上部のバンド１の端部に、幅方向両側に両側切欠き部７，７と両側切欠き部７，７に繋がる張出部１１とを有すると共に、下部のバンド２の端部に、幅方向中央部に凹型切欠き部８と端部外側に突出する側面円形の係止部９とを有している。
【００１５】
ヘッダーを支持する際は、この上下バンド１，２の間にヘッダーを配設し、バンド１の弾性変形により上記張出部１１が係止部９を乗り越えて係止され、上記両側切欠き部７，７と凹型切欠き部８とが嵌合されることでヘッダーが支持される構造となっている。ヘッダーを支持する際は、ヘッダーの大きさにもよるが、通常、図３に示すように本発明のヘッダー支持具５０が複数用いられヘッダー５１が支持される。
【００１６】
上記係止部９の形状は、係止可能で有れば特に限定されるものではない。図示するように側面円形の円弧状でもよいし、単に外側に折り返しただけでもよいが、円弧状であれば、上下バンド１，２の間にヘッダーを支持する際に、バンド１を上部から押さえながら弾性変形させることにより、張出部１１が係止部９を乗り越えるようにして、両側切欠き部７，７と凹型切欠き部８とを勘合する際に、円弧の形状がガイドの作用を果たし係止部９を乗り越え易くなる点で好ましい。
【００１７】
また、上部のバンド１の両側切欠き部７，７の外側に、図示するように円弧状のカバー１０が設けられていても良い。上記カバー１０が設けられることにより、外部から結合部を保護する効果が得られるとともに、カバー１０が係止部９に接触することにより、バンド１を上部から押さえながら弾性変形させる際に、ストッパーの役割を果たし、過度の変形を防止する効果が得られる。
【００１８】
上記カバー１０は、例えば上記両側切欠き部７，７を加工する際に、一部を残して切断し、残部を外側に折り曲げることにより作製することもできる。
【００１９】
上記ヘッダー支持具を構成する材料としては、特に限定されないが、鋼製であることが強度の点で好ましく、製造方法としてはプレス成形などが好適である。
【００２０】
一般に、給水給湯配管に使用されるヘッダーは、その周囲に保温材を巻き付けて使用される場合も多いが、本発明のヘッダー支持具によれば、保温材の外側から支持することも可能であり、極めて良好な施工性が得られる。
【００２１】
本発明のヘッダー固定治具は、図１（ａ）に示すように、上記ヘッダー支持具５０に、固定具３が取り付けられている。また、固定具３の取付部５は、カシメ構造とし、回転可能とされている。このため、建物の壁や床などに容易に取り付け可能で、また、ヘッダーの角度などの調整が容易なものとなり、優れた施工性を発揮する。
【００２２】
本発明の型鋼用ヘッダー固定治具は、図２（ａ）に示すように、Ｈ型鋼３１の張り出し部３２に係止可能な折り曲げ部３３を有するベース２１に、スライド部２２が図２（ｃ）に示すような長孔２３にボルト２４などで移動可能に取り付けられ、スライド部２２は、前記折り曲げ部３３と対向してＨ型鋼３１の張り出し部３２を挟着可能な固定部２５を有している。また、上記ベース２１には、カシメ構造の取付部５により上記請求項１記載のヘッダー支持具５０が取り付けられている。ヘッダー支持具５０はスライド部２２に取り付けられたものであってもよいし、ベース２１に取り付けられたものであってもよい。
【００２３】
上記固定部２５は、図示するように、型鋼の張り出し部の厚さに応じてベース２１との隙間ｔが複数の寸法に対応可能な多段形状とされている。
【００２４】
上記折り曲げ部３３の折り曲げ角度θは、通常１０〜４５°程度であることが、上記固定部２５により挟着し易い点で好ましい。
【００２５】
上記スライド部３３の端部には、図２（ａ）に示すように折り返し部２６が設けられてもよい。この場合、スライド部２２を長孔２３に沿って移動させ位置決めし易くなる点で好ましい。
【００２６】
本発明の型鋼用ヘッダー固定治具を用いてヘッダーを支持する際は、ヘッダーの大きさにもよるが、通常、図４に示すように本発明の型鋼用ヘッダー固定治具５２が複数用いられ、型鋼５３にヘッダー５１が固定される。
【００２７】
本発明の型鋼用ヘッダー固定治具には、上記請求項１記載のヘッダー支持具が取り付けられているので、上記同様にヒンジを介して連結されたバンドの端部がワンタッチで係止され、狭い場所でも簡便にヘッダーを取り付けることができるとともに、ヘッダーの角度や位置調整が容易であり、天井付近の作業においても良好な施工性を発揮することができる。
【図面の簡単な説明】
【００２８】
【図１】本発明に係るヘッダー固定治具の一例を示す模式図であり、（ａ）は正面図、（ｂ）は側面図、（ｂ１）は上部バンド端部を説明する側面図、（ｂ２）は下部バンド端部を説明する側面図、（ｃ）は上面図である。
【図２】本発明に係る形鋼用ヘッダー固定治具の一例を示す模式図であり、（ａ）は正面図、（ｂ）は側面図、（ｃ）は上面図である。
【図３】本発明に係るヘッダー支持具の使用状態を例示する模式斜視図である。
【図４】本発明に係る形鋼用ヘッダー固定治具の使用状態を例示する模式斜視図である。
【符号の説明】
【００２９】
１    バンド（上部）
２    バンド（下部）
３    固定具
５    取付部
６    ヒンジ
７    両側切欠き部
８    凹型切欠き部
９    係止部
１０  カバー
１１  張出部
２１  ベース
２２  スライド部
２３  長孔
２４  ボルト
２５  固定部
２６  折り返し部
３１  Ｈ型鋼
３２  張り出し部
３３  折り曲げ部
５０  ヘッダー支持具
５１  ヘッダー
５２  型鋼用ヘッダー固定治具
５３  型鋼
【図１】
2005214337.tif 000003
【図２】
2005214337.tif 000004
【図３】
2005214337.tif 000005
【図４】
2005214337.tif 000006